(57)【要約】【課題】真空スイッチの操作ロッドを開閉操作する開閉駆動部が故障して作動不能になった場合に、開閉駆動部の操作部側に作用する過負荷を保護することができる真空スイッチギヤを提供する。【解決手段】真空容器内に固定電極とこの固定電極に接離する可動電極とを備えた真空スイッチギヤにおいて、前記可動電極の操作ロッド８に開閉操作力を与える開閉駆動部３と、モータ２４とこのモータ２４により回転するウオーム２２とこのウオーム２２に噛み合うウオーム歯車２１とからなる操作部４と、前記操作部４のウオーム歯車２１と前記操作部４とを連結する可撓性の連結部材５と、前記操作部４におけるモータ２４とウオーム２２との間に設けた過負荷保護装置２３とを備えた。【選択図】図１
2006236603.tif 000002
【特許請求の範囲】
【請求項１】
真空容器内に固定電極とこの固定電極に接離する可動電極とを備えた真空スイッチギヤにおいて、前記可動電極の開閉駆動部と、その操作部と、これらを連結する可撓性の連結部材と、前記操作部に設けた過負荷保護装置とを備えたことを特徴とする真空スイッチギヤ。
【請求項２】
真空容器内に固定電極とこの固定電極に接離する可動電極とを備えた真空スイッチギヤにおいて、前記可動電極の操作ロッドに開閉操作力を与える開閉駆動部と、モータとこのモータにより回転するウオームとこのウオームに噛み合うウオーム歯車とからなる操作部と、前記操作部のウオーム歯車と前記操作部とを連結する可撓性の連結部材と、前記操作部におけるモータとウオームとの間に設けた過負荷保護装置とを備えたことを特徴とする真空スイッチギヤ。
【請求項３】
前記過負荷保護装置は、トルクリミッタであることを特徴とする請求項２記載の真空スイッチギヤ。
【発明の詳細な説明】
【技術分野】
【０００１】
本発明は、真空スイッチギヤに係わり、更に詳しくは真空スイッチギヤにおける開閉駆動部への過負荷を保護することができる真空スイッチギヤに関する。
【背景技術】
【０００２】
真空スイッチギヤにおいては、その小型化が要求されている。この要求を満たすために、その操作装置を小型・コンパクト化を図ると共に、その確実な切換え操作を可能としたものがある（例えば、特許文献１参照。）。
【０００３】
また、断路器に組み込まれた補助開閉器を、プーリに巻掛けたワイヤロープで入り切りするようにして、その駆動系の占有空間及び場所の制約と駆動系の慣性を減らすものがある（例えば、特許文献２参照。）。
【０００４】
【特許文献１】特開２００３−２５７２９０号公報
【特許文献２】特開平１０−２４１４８２号公報
【発明の開示】
【発明が解決しようとする課題】
【０００５】
上述した特許文献１に記載された真空スイッチギヤにおいては、その小形化及び柔軟な配置構成を可能にするために、特許文献２に記載のワイヤロープ等の可撓性の連結部材を用いることは有効である。この種の可撓性の連結部材を使用する場合、真空スイッチの操作ロッドに開閉操作力を与える開閉駆動部とその操作部との間を、可撓性の連結部材で連結することになる。
【０００６】
しかしながら、前述した開閉駆動部が何らかの要因で故障して作動不能になっている場合に、その操作部によって可撓性の連結部材を駆動すると、その操作部及び可撓性の連結部材が過負荷となり、これらが故障することがある。
【０００７】
本発明は、真空スイッチの操作ロッドを開閉操作する開閉駆動部が故障して作動不能になった場合に、開閉駆動部の操作部側に作用する過負荷を保護することができる真空スイッチギヤを提供することを目的とする。
【課題を解決するための手段】
【０００８】
本発明は、上記の目的を達成するために、第１の発明は、真空容器内に固定電極とこの固定電極に接離する可動電極とを備えた真空スイッチギヤにおいて、前記可動電極の開閉駆動部と、その操作部と、これらを連結する可撓性の連結部材と、前記操作部に設けた過負荷保護装置とを備えたことを特徴とする。
【０００９】
また、第２の発明は、真空容器内に固定電極とこの固定電極に接離する可動電極とを備えた真空スイッチギヤにおいて、前記可動電極の操作ロッドに開閉操作力を与える開閉駆動部と、モータとこのモータにより回転するウオームとこのウオームに噛み合うウオーム歯車とからなる操作部と、前記操作部のウオーム歯車と前記操作部とを連結する可撓性の連結部材と、前記操作部におけるモータとウオームとの間に設けた過負荷保護装置とを備えたことを特徴とする。
【００１０】
更に、第３の発明は、第２の発明において、過負荷保護装置は、トルクリミッタであることを特徴とする。
【発明の効果】
【００１１】
本発明によれば、真空スイッチの操作ロッドに開閉操作力を与える開閉駆動部に連結するその操作部と、操作部と開閉駆動部とを連結する可撓性の連結部材とに作用する過負荷を保護することができるので、更なる故障が抑えられ、真空スイッチギヤの復帰性を高めることができる。
【発明を実施するための最良の形態】
【００１２】
以下、本発明の真空スイッチギヤの実施の形態を図面を用いて説明する。  
図１及び図２は本発明の真空スイッチギヤの一実施の形態を示すもので、その図１は正面図、図２はその側面図である。これらの図において、真空スイッチギヤ支持体１には、その上方に真空スイッチ２及びその開閉駆動部３が、その下方にはその操作部４が設置されている。開閉駆動部３と操作部４とは、可撓性の連結部材５によって連結されている。
【００１３】
真空スイッチ２は３相に対応して３個備え、図１に示すように支持フレーム６に並設されている。支持フレーム６は真空スイッチギヤ支持体１に固定されている。各真空スイッチ２は接地された真空容器と、この真空容器内に設けた遮断器、断路器の固定電極（図示せず）とこれに接離する遮断器、断路器の可動電極（図示ぜず）とを備えている。この固定電極には導体７が接続している。また、遮断器、断路器の可動電極はフレキシブル導体で接続されていると共に、ベローズを介して真空容器内に導入された操作ロッド８が連結している。
【００１４】
真空スイッチ２の支持フレーム６上には、開閉駆動部３のフレーム９は設けられている。この支持フレーム９間には、各真空スイッチ２の操作ロッド８に対応するＬ字形のレバー１０がピン軸１１によってそれぞれ回動可能に設けられている。各Ｌ字形のレバー１０の一端側はばね１２を介して各真空スイッチ２の操作ロッド８にそれぞれ連結し、その他端側はリンク１３に連結している。これにより、図１の図面上、左側のＬ字形のレバー１０がピン軸１１回りに回動すると、リンク１３により他のＬ字形のレバー１０がそれぞれピン軸１１回りに回動する。
【００１５】
ばね１２は、電流通過時に必要な接触圧を固定電極と可動電極と間に与えると共に、可動電極に必要な開路速度を与える機能を有している。
【００１６】
前述した図１の図面上、左側のＬ字形のレバー１０の一方端側には、リンク１４の一方端が連結している。リンク１４の他方端にはばね受け部１５が回動可能に設けられている。このばね受け部１５に対向するばね受け部１６が、レバー１７の一方側に回動可能に設けられており、これらのばね受け部１５，１６間にばね１８が装着されている。
【００１７】
レバー１７はピン軸１９によって、開閉駆動部３のフレーム９に回動可能に設けられている。このレバー１７の一方側と他方側とには、案内筒５Ａとこの案内筒５Ａ内に挿入されたワイヤ５Ｂとで構成した可撓性の連結部材５におけるワイヤ５Ｂの一方側がそれぞれ連結されている。可撓性の連結部材５を構成するワイヤ５Ｂによって、レバー１７を図１上、ピン軸１９を支点として反時計回りに回動させるにより、ばね１８、リンク１４を介してＬ字形のレバー１０がそれぞれピン軸１１を支点として時計回りに回動して、各操作ロッド８が上方に移動される。その結果、各真空スイッチ２の可動電極がその固定電極から離間する。
【００１８】
可撓性の連結部材５における案内筒５Ａとワイヤ５Ｂの他方側は、操作部４側に導かれている。操作部４は真空スイッチギヤ支持体１に設けた支持フレーム２０を備えている。この支持フレーム２０にはウオーム歯車２１が回転可能に設けられている。このウオーム歯車２１にはウオーム２２が噛み合っている。ウオーム２２は支持フレーム２０に回転可能に支持され、過負荷保護装置２３を介してモータ２４のモータ軸２５に連結されている。モータ２４は支持フレーム２０に固定されている。
【００１９】
ウオーム２２にはプーリ２６が設けられている。プーリ２６には前述した可撓性の連結部５におけるワイヤ５Ｂの他方側がそれぞれ逆巻で固定されている。可撓性の連結部材５における案内筒５Ａの一方側及び他方側は支持具２７によって開閉駆動部３のフレーム９及び支持フレーム２０に固定されている。
【００２０】
過負荷保護装置２３はトルクリミッタの機能を有しており、ウオーム２２に設けた摩擦板２８と、モータ２４のモータ軸２５に設けられ、摩擦板２８に接触する摩擦板２９とを備えている。この過負荷保護装置２３はモータ２４の駆動トルク伝達に対してウオーム２２側が過負荷になっている場合に、摩擦板２８，２９との接触摺動面で滑りを許容して、モータ２４の駆動トルク伝達を遮断する。
【００２１】
次に上述した本発明の真空スイッチギヤの一実施の形態の動作を説明する。  
真空スイッチ２を開操作する場合には、モータ２４を起動してウオーム２２を回転させ、このウオーム２２に噛み合うウオーム歯車２１を図１において反時計回りに回転させる。これにより、ウオーム歯車２１は図１に示す可撓性の連結部材５における左側のワイヤ５Ｂを巻き取り、左側のワイヤ５Ｂを繰り出すので、開閉駆動部３のレバー１７がピン軸１９を支点として反時計回りに回転する。
【００２２】
このレバー１７の回転は、ばね１８，リンク１４を介して図１の左側のＬ字形のレバー１０に伝えられ、Ｌ字形のレバー１０をそのピン軸１１を支点として時計回りに回転させる。このＬ字形のレバー１０の回転は、リンク１３を介して他のＬ字形のレバー１０に伝えられ、他のＬ字形のレバー１０を図１の左側のＬ字形のレバー１０と同方向の時計回りに回転させる。
【００２３】
その結果、各真空スイッチ２の操作ロッド８が、図１上、上方に引き上げられるので、３相の可動電極が同時に各固定電極から離間し、回路を遮断する。回路を接続する場合には、上述の動作とは逆にモータ２４を駆動して、図１の右側のワイヤ５Ｂをウオーム歯車２１で巻き取ることにより、各真空スイッチ２の可動電極をその固定電極に投入することができる。
【００２４】
開閉駆動部３はリンク機構で構成されているため、ピン軸等の損傷により駆動不能になることがある。このような状況時に、モータ２４を駆動して真空スイッチ２を開閉操作した場合、過負荷保護装置２３が機能し、その摩擦板２８，２９との接触摺動面で滑りを許容して、モータ２４の駆動トルク伝達を遮断する。その結果、ウオーム２２，ウオーム歯車２１，ワイヤ５Ｂ等に必要以上のトルクが作用せず、これらを保護することができる。
【００２５】
この実施の形態によれば、真空スイッチ２の操作ロッド８に開閉操作力を与える開閉駆動部３に連結するその操作部４と、操作部４と開閉駆動部３とを連結する可撓性の連結部材５とに作用する過負荷を保護することができるので、更なる故障が抑えられ、真空スイッチギヤの復帰性を高めることができる。また、操作部と開閉駆動部とを可撓性の連結部で連結するので、操作部４と開閉駆動部３との配置スペースの制約が無くなり、小スペース化に対応した柔軟な配置構成が可能である。
【００２６】
また、この実施の形態においては、真空スイッチ２の開閉駆動部と操作部４とを連結部材５によって容易に連結構成することができるので、真空スイッチ２及びその開閉駆動部３が操作部４から離れた位置に設置される場合に有効である。
【００２７】
なお、上述の実施の形態においては、可撓性の連結部材５として、案内筒５Ａとこの案内筒５Ａに挿入したワイヤ５Ｂを用いたが、ワイヤのみを使用することも可能である。この場合には、適宜箇所に設けたローラでワイヤを案内すれば良い。
【００２８】
図３及び図４は本発明の真空スイッチギヤの他の実施の形態を示すもので、その図３は正面図、図４はその側面図である。これらの図において、図１及び図２に示す符号と同符号のものは同一または相当する部分である。この実施の形態は操作部４を真空スイッチ２の開閉駆動部３の上側に位置するように真空スイッチギヤ支持体１に設けて構成したものである。この実施の形態においては、可撓性の連結部材５は操作部４が真空スイッチ２の開閉駆動部３の上側近傍に位置しているので、ワイヤ５Ｃ，５Ｃを使用している。このワイヤ５Ｃ，５Ｃの一方はウオーム２１にそれぞれ逆巻きに取り付けられ、他方はそれぞれピン軸１９に設けたレバー１７Ａ，１７Ｂに連結されている。ばね１８のばね受け部１６はピン軸１９に設けたレバー１７Ｃに回転可能に連結されている。その他の部分は前述した実施の形態と同様であるので、説明を省略する。
【００２９】
この実施の形態においては、上述した実施の形態と同様に、操作部４におけるモータ２４の駆動により、開閉駆動部３を操作し、真空スイッチ２を開閉することができる。
【００３０】
この実施の形態によれば、前述した実施の形態と同様に、真空スイッチ２の操作ロッド８に開閉操作力を与える開閉駆動部３に連結するその操作部４と、操作部４と開閉駆動部３とを連結する可撓性の連結部材５とに作用する過負荷を保護することができるので、更なる故障が抑えられ、真空スイッチギヤの復帰性を高めることができる。また、操作部４を真空スイッチ２の開閉駆動部３の近傍に配置し、これらを可撓性の連結部材５で連結したので、真空スイッチギヤの小スペース化を図ることができる。
【００３１】
なお、上述の実施の形態においては、ウオーム２１にプーリ２６を設け、このプーリ２６に連結部材５のワイヤ５Ｂ、ワイヤ５Ｃをそれぞれ逆巻きにして取り付けたが、ワイヤ５Ｂ、ワイヤ５Ｃをウオーム２１の軸に取り付けることも可能である。
【図面の簡単な説明】
【００３２】
【図１】本発明の真空スイッチギヤの一実施の形態を示す正面図である。
【図２】図１に示す本発明の真空スイッチギヤの一実施の形態の側面図である。
【図３】本発明の真空スイッチギヤの他の実施の形態を示す正面図である。
【図４】図３に示す本発明の真空スイッチギヤの他の実施の形態の側面図である。
【符号の説明】
【００３３】
１        真空スイッチギヤ支持体
２        真空スイッチ
３        開閉駆動部
４        操作部
５        可撓性の連結部材
２１      ウオーム歯車
２２      ウオーム
２３      過負荷保護装置
２４      モータ
２８      摩擦板
２９      摩擦板
【図１】
2006236603.tif 000003
【図２】
2006236603.tif 000004
【図３】
2006236603.tif 000005
【図４】
2006236603.tif 000006